【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
ポリアミド樹脂、少なくとも１種の難燃剤、および少なくとも１種の強化剤を含むポリアミド樹脂組成物であって、
ａ）前記ポリアミド樹脂は、少なくとも１種の脂肪族ポリアミドと芳香族ポリアミドブレンドとを含み、前記芳香族ポリアミドブレンドは少なくとも１種の半結晶性半芳香族ポリアミドおよび少なくとも１種の非晶質半芳香族ポリアミドを含み；
ｂ）前記ポリアミド樹脂の全重量に基づいて、約３５から約７０重量％の前記少なくとも１種の脂肪族ポリアミドおよび約３０から約６５重量％の前記芳香族ポリアミドブレンドが、前記ポリアミド樹脂中に存在し；ならびに
ｃ）前記芳香族ポリアミドブレンドの全重量に基づいて、約１５から約８０重量％の前記少なくとも１種の半結晶性半芳香族ポリアミドおよび約２０から約８５重量％の前記少なくとも１種の非晶質半芳香族ポリアミドが、前記芳香族ポリアミドブレンド中に存在する、ポリアミド樹脂組成物。
【請求項２】
請求項１に記載のポリアミド樹脂組成物を含む成形物品であって、前記少なくとも１種の強化剤が、前記ポリアミド樹脂組成物の全重量に基づいて、約２０から約６０重量％のレベルで前記ポリアミド樹脂組成物中に存在する、成形物品。
【手続補正２】
【補正対象書類名】明細書
【補正対象項目名】００４５
【補正方法】変更
【補正の内容】
【００４５】
本発明は、使用される調製および試験の技術ならびに材料の説明と一緒に本発明の以下の実施例を参照することでより良く理解されるようになる。
なお、本明細書に記載の主な発明を以下に列記する。
［１］
ポリアミド樹脂、少なくとも１種の難燃剤、および少なくとも１種の強化剤を含むポリアミド樹脂組成物であって、
ａ）前記ポリアミド樹脂は、少なくとも１種の脂肪族ポリアミドと芳香族ポリアミドブレンドとを含み、前記芳香族ポリアミドブレンドは少なくとも１種の半結晶性半芳香族ポリアミドおよび少なくとも１種の非晶質半芳香族ポリアミドを含み；
ｂ）前記ポリアミド樹脂の全重量に基づいて、約３５から約７０重量％の前記少なくとも１種の脂肪族ポリアミドおよび約３０から約６５重量％の前記芳香族ポリアミドブレンドが、前記ポリアミド樹脂中に存在し；ならびに
ｃ）前記芳香族ポリアミドブレンドの全重量に基づいて、約１５から約８０重量％の前記少なくとも１種の半結晶性半芳香族ポリアミドおよび約２０から約８５重量％の前記少なくとも１種の非晶質半芳香族ポリアミドが、前記芳香族ポリアミドブレンド中に存在する、ポリアミド樹脂組成物。
［２］
ａ）前記ポリアミド樹脂の全重量に基づいて、約４０から約７０重量％、または好ましくは約４５から約６５重量％の前記少なくとも１種の脂肪族ポリアミドおよび約３０から約６０重量％、または好ましくは約３５から約５５重量％の前記芳香族ボリアミドブレンドが、前記ポリアミド樹脂中に存在し；ならびに
ｂ）前記芳香族ポリアミドブレンドの全重量に基づいて、約２０から約７０重量％、または好ましくは約２０から約６０重量％の前記少なくとも１種の半結晶性芳香族ポリアミドおよび約３０から約８０重量％、または好ましくは約４０から約８０重量％の前記少なくとも１種の非晶質半芳香族ポリアミドが、前記芳香族ポリアミドブレンド中に存在する、前記［１］に記載のポリアミド樹脂組成物。
［３］
（ｉ）前記少なくとも１種の脂肪族ポリアミドが、ポリアミド６；ポリアミド６，６；ポリアミド４，６；ポリアミド６，１０；ポリアミド６，１２；ポリアミド１１；ポリアミド１２；ポリアミド９，１０；ポリアミド９，１２；ポリアミド９，１３；ポリアミド９，１４；ポリアミド９；１５；ポリアミド６，１６；ポリアミド９，３６；ポリアミド１０，１０；ポリアミド１０，１２；ポリアミド１０，１３：ポリアミド１０，１４；ポリアミド１２，１０；ポリアミド１２，１２；ポリアミド１２，１３；ポリアミド１２，１４；ポリアミド６，１４；ポリアミド６，１３；ポリアミド６，１５；ポリアミド６，１６；ポリアミド６，１３；およびこれらの２種以上の組合せからなる群から選択され、
（ｉｉ）前記少なくとも１種の半結晶性半芳香族ポリアミドが、ポリアミドＭＸＤ，６；ポリアミド１２，Ｔ；ポリアミド１０，Ｔ；ポリアミド９，Ｔ；ポリアミド６，Ｔ／６，６；ポリアミド６，Ｔ／６，Ｉ；ポリアミド６，Ｔ／Ｄ，Ｔ；ポリアミド６，６／６，Ｔ／６，Ｉ；ポリアミド６／６，Ｔ；およびこれらの２種以上の組合せからなる群から選択され；ならびに
（ｉｉｉ）前記少なくとも１種の非晶質半芳香族ポリアミドが、ポリアミド６，Ｉ／６，Ｔ；ポリアミド６，Ｉ；ポリアミドＭＸＤ，Ｉ／６，Ｉ；ポリアミドＭＸＤ，Ｉ／ＭＸＤ，Ｔ／６，Ｉ／６，Ｔ；ポリアミドＭＸＤ，Ｉ／１２，Ｉ；ポリアミドＭＸＤ，Ｉ；ポリアミドＭＡＣＭ，Ｉ／１２；ポリアミドＭＡＣＭ，Ｉ／ＭＡＣＭ，Ｔ／１２；ポリアミド６，Ｉ／ＭＡＣＭ，Ｉ／１２；ポリアミド６，Ｉ／６，Ｔ／ＭＡＣＭ，Ｉ／ＭＡＣＭ，Ｔ；ポリアミド６，Ｉ／６，Ｔ／ＭＡＣＭ，Ｉ／ＭＡＣＭ，Ｔ／１２；ポリアミドＭＡＣＭ，Ｉ／ＭＡＣＭ，１２；およびこれらの２種以上の組合せからなる群から選択される、前記［１］に記載のポリアミド樹脂組成物。
［４］
前記少なくとも１種の脂肪族ポリアミドが、ポリアミド６，６を含み；前記少なくとも１種の半結晶性半芳香族ポリアミドが、ポリアミド６，Ｔ／６，６を含み；および前記少なくとも１種の非晶質半芳香族ポリアミドが、ポリアミド６，Ｉ／６，Ｔを含む、前記［３］に記載のポリアミド樹脂組成物。
［５］
前記少なくとも１種の難燃剤が、前記ポリアミド樹脂の重量に対して約５から約４５重量％のレベルで前記ポリアミド樹脂組成物中に存在する、前記［１］に記載のポリアミド樹脂組成物。
［６］
前記少なくとも１種の難燃剤が、式（Ｉ）のホスフィン酸塩、式（ＩＩ）のジホスフィン酸塩、およびこれらの組合せまたはポリマーからなる群から選択される少なくとも１種を含み、
【化１】
2013523958.tif 000001
式中、Ｒ1およびＲ2は、同一であるかまたは異なり、Ｒ1およびＲ2のそれぞれは、直鎖または分岐のＣ1〜Ｃ6アルキル基またはアリール基であり；Ｒ3は、直鎖または分岐のＣ1〜Ｃ10アルキレン基、Ｃ6〜Ｃ10アリーレン基、アルキル−アリーレン基、またはアリール−アルキレン基であり；Ｍは、カルシウムイオン、マグネシウムイオン、アルミニウムイオン、亜鉛イオン、およびこれらの２種以上の組合せからなる群から選択され；ｍは、２または３の整数であり；ｎは、１または３の整数であり；ｘは、１または２の整数である、前記［５］に記載のポリアミド樹脂組成物。
［７］
前記少なくとも１種の難燃剤が、メラミンの縮合生成物、メラミンとリン酸との反応生成物、メラミンの縮合生成物とリン酸との反応生成物、およびこれらの２種以上の組合せからなる群から選択される１種または複数をさらに含み得る、前記［６］に記載のポリアミド樹脂組成物。
［８］
前記少なくとも１種の強化剤が、前記ポリアミド樹脂組成物の全重量に基づいて、約２０から約６０重量％のレベルで前記ポリアミド樹脂組成物中に存在する、前記［１］から［７］のいずれかに記載のポリアミド樹脂組成物。
［９］
前記ポリアミド樹脂組成物が、難燃助剤、ホウ酸亜鉛、衝撃改質剤、紫外線安定剤、熱安定剤、酸化防止剤、流動促進剤、加工助剤、潤滑剤、着色剤、およびこれらの２種以上の組合せからなる群から選択される１種または複数の他の添加剤をさらに含む、前記［８］に記載のポリアミド樹脂組成物。
［１０］
前記［８］に記載のポリアミド樹脂組成物を含む成形物品。
［１１］
携帯用電子機器の筐体部分である、前記［１０］に記載の成形物品。
［１２］
前記携帯用電子機器が、携帯電話、携帯情報端末、ラップトップコンピュータ、タブレットコンピュータ、全地球測位システム受信機、ポータブルゲーム、ラジオ、ならびにカメラおよびカメラ付属品からなる群から選択される、前記［１１］に記載の成形物品。